(57)【要約】【課題】中皿本体内の化粧料の残存量を減少化可能なコンパクト容器の中皿を実現する。【解決手段】方形状の中皿本体７ａの内側側壁９下部から底面１０に向かい、底面１０との境界線１１を越えてやや内方を終端１３とする縦溝１２を複数並列に配設し、さらに角部四隅には対角線上に、内側側壁９上部から前記縦溝１２の終端１３より内方の底面に終端１４を形成した縦突条１５を突設した。【選択図】      図１
2004180798.tif 000002
【特許請求の範囲】
【請求項１】
方形状で有底短筒状の中皿本体（７ａ）の内側側壁（９）下部から底面（１０）に向かい、底面（１０）との境界線（１１）を越えてやや内方を終端（１３）とする縦溝（１２）を複数並列に配設し、さらに角部四隅には対角線上に、内側側壁（９）上部から前記縦溝（１２）の終端（１３）より内方の底面に終端（１４）を形成した縦突条（１５）を突設したことを特徴とするコンパクト容器の中皿。
【請求項２】
縦溝（１２）は、溝幅を広幅に形成した請求項１に記載のコンパクト容器の中皿。
【発明の詳細な説明】
【０００１】
【発明の属する技術分野】
本発明は、固形化粧料等を内部に収納するコンパクト容器の中皿に関するものである。
【０００２】
【従来の技術】
従来の特許文献１には、側壁内周面に複数の凹溝が底壁に到達することなく側壁内周面の下端で終端するように構成し、凹溝内に化粧料を嵌入させて保持性を高め、中身くずれ剥離を防止し、パフによる化粧料の取り残しが生じないようにすることが記載されている。
また、特許文献２には、容器本体の内側底面に複数の凹部を設け、この凹部に化粧料を入り込ませ、容器本体と化粧料との接触面積を増加させ、摩擦係合力を増加させて化粧料の移動を防止し，化粧料の剥離等を生じさせないで最後まで化粧料を使用可能にしたものである。また、凸部は化粧料が回転方向に移動しようとする場合、この凸部と化粧料との摩擦係合力によって回転を防止することが記載されている。
【０００３】
【特許文献１】
実用新案登録第２５１４０９９号公報（第２頁、図１、２、３）
【特許文献２】
特開平１１−１８８２８号公報（第２−４頁、図６）
【０００４】
【発明が解決しようとする課題】
上記従来技術では、特許文献１の場合は、側壁内周面に複数の凹溝が底壁に到達することなく側壁内周面の下端で終端するように構成したものであり、該凹溝内に化粧料を嵌入させて保持性を高め、中身くずれや剥離を防止している。しかしこのような構成では複数の凹溝内に化粧料が多く残存するという問題点がある。
また、特許文献２は、容器本体の内側底面に複数の凹部を設け、この凹部に化粧料を入り込ませて容器本体と化粧料との接触面積を増加させ、凸部は化粧料が回転方向に移動するのを防止して化粧料の剥離等を防止している。従って、内側底面の複数の凹部や凸部に化粧料が多く残存するという問題点がある
本発明は、上述した問題点に鑑みて創案されたもので、中皿本体内の化粧料の残存量を減少化可能なコンパクト容器の中皿の提供を目的とする。
【０００５】
【課題を解決するための手段】
上記従来技術の課題を解決するための手投として、請求項１の発明に係るコンパクト容器の中皿は、
方形状で有底短筒状の中皿本体の内側側壁下部から底面に向かい、底面との境界線を越えてやや内方を終端とする縦溝を複数並列に配設し、さらに角部四隅には対角線上に、内側側壁上部から前記縦溝の終端より内方の底面に終端を形成した縦突条を突設したことを特徴としている。
中皿本体の内側側壁下部から底面に向かい縦溝を複数並列して配設したことにより、中皿本体の内部に収納された化粧料の一部はこの縦溝内に入り込み、化粧料の粘性との相乗効果で中皿本体と化粧料との接触面積を増加させることで、摩擦係合力を増加させて化粧料の移動を防止し，高い保持性を発揮して化粧料の剥離や中くずれ等を防止する。
また、中皿本体の内側面であって、角部四隅には対角線上に、内側側壁上部から前記縦溝の終端より内方の底面に終端を形成した縦突条を設けたことにより、化粧料は回転方向に移動しようとする場合、この縦突条と化粧料との摩擦係合力によって回転移動が阻止される。
また、角部四隅付近は縦溝と、この縦溝より終端が底面内方に配置され、かつ対角線上に配設された所定角度の縦突条とにより摩擦係合力を倍化させ、化粧料の剥離や回転移動を防止する。
さらに、中皿本体に収納された化粧料は、縦突条部分ではパフによる取り残しがなく、縦溝の隅部分にわずかの量残存するだけとなる。
【０００６】
請求項２の発明に係るコンパクト容器の中皿は、請求項１に記載の縦溝は、溝幅を広幅に形成したことを特徴としている。
縦溝を幅広にすることにより、パフと縦溝内の接触面積が大きくなるため、この縦溝における化粧料の残存量を減少させることができる。
【０００７】
【発明の実施の形態】
図１から図５により本発明の一実施例を説明する。
本発明のコンパクト容器１は、図１のように、一側に蓋体２ａを開閉自在に蝶番結合した有底短筒状の、底壁６を有する外枠体２と、中皿収納部４及び用具収納部５を有し、該底壁６上に収納される中枠体３と、固形化粧料を収納する中皿本体７と、からなっている。
【０００８】
中皿本体７ａは、合成樹脂により平面形状が方形状で有底短筒状に製作され、内側側壁９下部から底面１０にかけては円弧状に形成し、パフ等による化粧料の取り残しが生じないようにしている。
また、平面形状が方形状の中皿本体７の内側側壁９下部から底面１０に向かい、底面１０との境界線１１を越えてやや内方を終端１３とする、０．２ｍｍ程度の深さの縦溝１２が複数並列に配設されている。
中皿本体７ａの内側側壁９下部から底面１０に向かい縦溝１２を複数並列して配設したことにより、中皿本体７ａの内部に収納されたファンデーション等の化粧料の一部はこの縦溝１２内に入り込み、化粧料の粘性との相乗効果で中皿本体７と化粧料との接触面積を増加させることで、摩擦係合力を増加させて化粧料の移動を防止し，高い保持性を発揮して化粧料の剥離や中くずれ等を防止する。
この縦溝１２は、化粧料を嵌入させた時高い保持性を確保するため、図４のように、対向する内側側面から底面にかけて対称位置に縦方向に同数の縦溝１２が並列に配設するのがよい。
なお、縦溝１２の深さや面積、縦溝１２と縦溝１２との間隔は、中皿本体７ａの大きさ、形状、収納する化粧料の性状により自由に決定される。
【０００９】
また、角部四隅には対角線上に、内側側壁４上部から前記縦溝１２の終端１３より内方の底面に終端１４を形成した、０．２ｍｍ程度の高さの縦突条１５が突設されている。
この縦突条１５は、中皿本体７ａ内の化粧料に回転力が加わり、回転方向に移動しようとする場合、この縦突条１５と化粧料との摩擦係合力によって回転移動が阻止される。
また、角部四隅付近は縦溝１２と、この縦溝１２より終端１４が底面内方に配置され、かつ対角線上に配設された所定角度の縦突条１５とにより摩擦係合力を増加させ、化粧料の剥離や回転移動を防止する。
中皿本体７ａに収納された化粧料は、縦突条１５部分ではパフによる取り残しが極力少なく、縦溝１２の隅部分にわずかの量残存するだけとなる。
なお、縦突条１５及び縦溝１２は、化粧料を取り去るパフを傷めることはない。
また、中皿本体７ａの内側底面１０に表面を皺状にするシボ加工を施してもよい。表面を皺状にするシボ加工を施した場合は、化粧料は該皺に入り込み、中皿本体７ａと化粧料との摩擦係合力を増加させ、化粧料の剥離や回転移動を防止することができる。
さらに、縦溝１２の溝幅を広幅に形成した場合は、パフとの接触面積は大きくなり、化粧料はパフによりほとんど無くなる。従って、この縦溝１２に残存する化粧料を極力減少させることができる。
【００１０】
【発明の効果】
上記構成の本発明によれば、以下の効果を奏するものである。
請求項１の発明により、中皿本体内に収納された化粧料の回転や移動を防止でき、かつ化粧料の中くずれや剥離等を防止でき、中皿本体内に収納された化粧料は最後まで使用可能となる。
また、化粧料は、角部四隅に配置された縦突条付近では残存せず、縦溝の隅部分に微量残存する程度となる。従って、中皿本体内に収納された化粧料の残存量をより減少させることができる。
請求項２の発明により、縦溝を広幅にするとパフとの接触面積が大きくなり、化粧料はパフによる取り残しが微量となるため、化粧料の残存量を減少させることができる。
また、側壁内周面に複数の凹溝を設け、該凹溝内に化粧料を嵌入させ移動を防止する場合、容器本体の内側底面に複数の凹部を設け、この凹部に化粧料を入り込ませて回転を防止する場合の両者の良い点を兼ね備え、極めて優れた効果を発揮するものである。
【図面の簡単な説明】
【図１】本発明の実施例を示した、コンパクト容器の分解斜視図である。
【図２】本発明の実施例を示した、中皿本体の拡大斜視図である。
【図３】本発明の実施例の要部断面図である。
【図４】本発明の実施例を示した、中皿本体の平面図である。
【図５】本発明の実施例を示した、縦溝を配設した内側側壁の拡大斜視図である。
【符号の説明】
１      コンパクト容器
２      外枠体
２ａ      蓋体
３      中枠体
４      中皿収納部
５      用具収納部
６      底壁
７      中皿
７ａ    中皿本体
８      側壁
９      内側側壁
１０      底面
１１      境界線
１２      縦溝
１３、１４  終端
１５      縦突条
【図１】
2004180798.tif 000003
【図２】
2004180798.tif 000004
【図３】
2004180798.tif 000005
【図４】
2004180798.tif 000006
【図５】
2004180798.tif 000007